(57)【要約】      （修正有）【課題】メンテナンスを行う際のユーザーの利便性に優れた複合機を提供する。【解決手段】複合機１は、給紙口及び排紙口を有する読取装置３の読取搬送経路に設けられ、用紙を搬送する駆動ローラーと、駆動ローラーが設けられた読取搬送経路とは異なる印刷装置２の搬送経路Ｈ１に設けられ、ロール紙２１、２１ａを搬送する駆動ローラー２６と、駆動ローラーによって搬送される用紙の表面を読み取る読取部４０と、駆動ローラー２６によって搬送されるロール紙２１、２１ａに印刷をする印刷部１０と、駆動ローラー及び読取部４０を制御する読取制御部と、駆動ローラー２６および印刷部１０を制御する印刷制御部１２と、を備える。駆動ローラー、給紙口、排紙口及び読取部４０は、印刷部１０の印刷位置における搬送方向において、印刷部１０の下流方向に配置されている。【選択図】図２
2020155920.tif 000002
【特許請求の範囲】
【請求項１】
給紙口および排紙口を有する経路に設けられ、第１の媒体を搬送する第１の搬送ローラーと、
前記第１の搬送ローラーが設けられた前記経路とは異なる経路に設けられ、第２の媒体を搬送する第２の搬送ローラーと、
前記第１の搬送ローラーによって搬送される前記第１の媒体の表面を読み取る読取部と、
前記第２の搬送ローラーによって搬送される前記第２の媒体に印刷をする印刷部と、
前記第１の搬送ローラーおよび前記読取部を制御する読取制御部と、
前記第２の搬送ローラーおよび前記印刷部を制御する印刷制御部と、を備え、
前記第１の搬送ローラー、前記給紙口、前記排紙口、および前記読取部は、前記印刷部による印刷位置における搬送方向において、前記印刷部の下流方向に配置されていることを特徴とする複合機。
【請求項２】
前記印刷部に供給される前記第２の媒体が巻かれたロールを支持するロール支持部を備え、
前記ロール支持部は、前記搬送方向において、前記印刷部の下流方向かつ前記読取部の鉛直下方に配置されていることを特徴とする請求項１に記載の複合機。
【請求項３】
前記印刷制御部は、前記搬送方向において、前記ロール支持部の上流方向かつ前記印刷部の鉛直下方に配置されていることを特徴とする請求項２に記載の複合機。
【請求項４】
前記ロール支持部を前記搬送方向に沿って移動可能に構成する引出部を備え、
前記引出部は、前記ロール支持部が前記読取部の鉛直下方に位置する閉位置と、前記ロール支持部が前記搬送方向において、前記読取部の下流方向に位置する開位置と、の間で移動可能であることを特徴とする請求項２又は請求項３に記載の複合機。
【請求項５】
前記読取制御部は、前記読取部による読取位置における読取搬送方向において、前記給紙口と前記排紙口との間に配置されていることを特徴とする請求項１乃至請求項４のいずれか一項に記載の複合機。
【請求項６】
前記読取搬送方向において、前記読取部の上流方向かつ前記印刷部による前記印刷位置の鉛直上方に、カバーを備え、
前記カバーは、前記読取搬送方向の上流端を回動軸として回動可能であることを特徴とする請求項５に記載の複合機。
【発明の詳細な説明】
【技術分野】
【０００１】
本発明は、複合機に関する。
【背景技術】
【０００２】
媒体を読み取るスキャナー部と媒体に印刷をするプリンター部とを備え、スキャナー部とプリンター部それぞれの使用時に、媒体の給排出の経路が互いに干渉せず確実に確保されるような構成とした画像形成装置（複合機）が、特許文献１に開示されている。
【先行技術文献】
【特許文献】
【０００３】
【特許文献１】特開２０１５−２２１２８号公報
【発明の概要】
【発明が解決しようとする課題】
【０００４】
しかしながら、特許文献１に記載されている複合機は、プリンター部の上方にスキャナー部が配置されているため、プリンター部のメンテナンスを行う際にユーザーの利便性が低下するという課題があった。
【課題を解決するための手段】
【０００５】
本願の複合機は、給紙口および排紙口を有する経路に設けられ、第１の媒体を搬送する第１の搬送ローラーと、前記第１の搬送ローラーが設けられた前記経路とは異なる経路に設けられ、第２の媒体を搬送する第２の搬送ローラーと、前記第１の搬送ローラーによって搬送される前記第１の媒体の表面を読み取る読取部と、前記第２の搬送ローラーによって搬送される前記第２の媒体に印刷をする印刷部と、前記第１の搬送ローラーおよび前記読取部を制御する読取制御部と、前記第２の搬送ローラーおよび前記印刷部を制御する印刷制御部と、を備え、前記第１の搬送ローラー、前記給紙口、前記排紙口、および前記読取部は、前記印刷部による印刷位置における搬送方向において、前記印刷部の下流方向に配置されている。
【０００６】
上述の複合機において、前記印刷部に供給される前記第２の媒体が巻かれたロールを支持するロール支持部を備え、前記ロール支持部は、前記搬送方向において、前記印刷部の下流方向かつ前記読取部の鉛直下方に配置されていることとしても良い。
【０００７】
上述の複合機において、前記印刷制御部は、前記搬送方向において、前記ロール支持部の上流方向かつ前記印刷部の鉛直下方に配置されていることとしても良い。
【０００８】
上述の複合機において、前記ロール支持部を前記搬送方向に沿って移動可能に構成する引出部を備え、前記引出部は、前記ロール支持部が前記読取部の鉛直下方に位置する閉位置と、前記ロール支持部が前記搬送方向において、前記読取部の下流方向に位置する開位置と、の間で移動可能であることとしても良い。
【０００９】
上述の複合機において、前記読取制御部は、前記読取部による読取位置における読取搬送方向において、前記給紙口と前記排紙口との間に配置されていることとしても良い。
【００１０】
上述の複合機において、前記読取搬送方向において、前記読取部の上流方向かつ前記印刷部による前記印刷位置の鉛直上方に、カバーを備え、前記カバーは、前記読取搬送方向の上流端を回動軸として回動可能であることとしても良い。
【図面の簡単な説明】
【００１１】
【図１】本実施形態に係る複合機の外観を示す斜視図。
【図２】複合機の構成を示す概略断面図。
【図３】読取装置の構成を示す概略断面図。
【図４】カバーの開閉を説明する概略断面図。
【図５】引出部の動作を説明する概略断面図。
【発明を実施するための形態】
【００１２】
以下、本実施形態に係る複合機１について、添付図面を参照して説明する。
なお、各図において対応する構成要素には同一の符号が付され、重複する説明は省略される。
また、以下の説明で参照する図面では、説明及び図示の便宜上、部材ないし部分の縦横の縮尺を実際のものとは異なるように表す場合がある。また、説明に必要な構成要素以外は図示を省略する場合がある。
また、以下では、説明の都合上、互いに直交する３つの軸としてＸ軸、Ｙ軸、及びＺ軸が図示されており、各軸を示す矢印の先端側を「＋」、基端側を「−」とする。また、Ｘ軸に沿う方向を「幅方向」、Ｙ軸に沿う方向を「前後方向」、Ｚ軸に沿う方向を「鉛直方向」という。また、幅方向の＋Ｘ方向を右又は右側、−Ｘ方向を左又は左側とし、前後方向の＋Ｙ方向を前又は前側、−Ｙ方向を後又は後側とし、鉛直方向の＋Ｚ方向を上又は上方、−Ｚ方向を下又は下方として説明する。
【００１３】
図１は、本実施形態に係る複合機１の外観を示す斜視図である。図２は、複合機１の構成を示す概略断面図である。図３は、読取装置３の構成を示す概略断面図である。図４は、カバー３２の開閉を説明する概略断面図である。図５は、引出部１５の動作を説明する概略断面図である。
【００１４】
本実施形態の複合機１は、図１〜図３に示すように、印刷機能を備えた印刷装置２と、読取機能を備えた読取装置３と、の複機能装置として構成されている。なお、複合機１を構成する読取装置３は、印刷装置２の前側の上方に配置されている。複合機１を操作するための操作部４が印刷装置２の上面２ａで右側端部に配置されている。また、読取装置３の下方には、第２の媒体としてのロール紙２１，２１ａが巻かれたロール２０，２０ａを支持するロール支持部１９，１９ａが配置されている。
【００１５】
読取装置３は、図３に示すように、第１の媒体としての用紙９の表面を読み取る読取部４０と、用紙９を給紙口７から読取部４０へ搬送し、読取後の用紙９を排紙口８へ搬送する読取搬送機構Ｍ２と、読取部４０および読取搬送機構Ｍ２を制御する読取制御部４２と、を含み構成されている。
【００１６】
読取搬送機構Ｍ２は、ガイド板４３、駆動ローラー４４、従動ローラー４５、第１の搬送ローラーとしての駆動ローラー４６、従動ローラー４７、およびガイド板４８などから構成されている。
【００１７】
読取部４０および読取制御部４２は、駆動ローラー４４および従動ローラー４５と駆動ローラー４６および従動ローラー４７との間に配置されている。そのため、駆動ローラー４４および従動ローラー４５は、読取部４０への給紙用ローラーとして動作し、駆動ローラー４６および従動ローラー４７は、読取部４０からの排紙用ローラーとして動作している。
【００１８】
給紙口７から給紙された用紙９は、ガイド板４３、駆動ローラー４４、および従動ローラー４５により、読取部４０へ搬送される。その後、読取部４０の読取位置に設けられているコンタクトイメージセンサー（ＣＩＳ）モジュール４１により、用紙９の表面に印刷された文字や写真を読み取られ、画像データとして読取制御部４２のメモリーに記憶される。読取後の用紙９は、駆動ローラー４６、従動ローラー４７、およびガイド板４８により、排紙口８へ搬送される。従って、給紙口７から給紙された用紙９を、経路となる読取搬送経路Ｈ２に沿って、搬送することができる。
【００１９】
また、読取部４０の読取位置における読取搬送方向は、矢印Ａ２で示す方向、つまり、給紙口７から排紙口８に向う方向となり、読取制御部４２は、読取搬送方向において、給紙口７と排紙口８との間に配置されている。読取制御部４２を読取装置３の内部に取り込むことで読取装置３の小型化を図ることができる。
【００２０】
また、読取搬送方向において、読取部４０の上流方向に、読取搬送方向の上流端を回動軸５１として、矢印Ｂ２の方向に回動可能な読取給紙用カバー５２が設けられている。そのため、読取作業を行わない場合には、読取給紙用カバー５２を閉めておくことにより、読取部４０にほこりやごみが入り込むのを防止することができる。なお、本実施形態では、読取給紙用カバー５２が矢印Ｂ２の方向に回動可能であるが、これに限定されることはなく、読取給紙用カバー５２が矢印Ｂ２と反対方向に回動可能でも構わない。このような構成としても読取部４０にほこりやごみが入り込むのを防止することができる。
【００２１】
また、読取搬送方向において、読取部４０の下流方向に、鉛直下方端を回動軸４９として、矢印Ｂ３の方向に回動可能な読取排紙用カバー５０が設けられている。そのため、読取排紙用カバー５０を開けておくことにより、読取排紙用カバー５０上に読取終了した用紙９を置いておくことができ、読取終了後の用紙９の回収が容易となる。また、読取作業を行わない場合には、読取排紙用カバー５０を閉めておくことにより、ほこりやごみの侵入を防ぎ、かつ、読取装置３の前面３ａをフラットにできるので読取装置３の小型化が図れる。
【００２２】
印刷装置２は、図２に示すように、ロール紙２１，２１ａに印刷する印刷部１０と、ロール紙２１，２１ａを印刷部１０へ給紙し、印刷したロール紙２１，２１ａを排紙口６へ搬送する搬送機構Ｍ１と、印刷したロール紙２１，２１ａを切断するカッター１４と、ロール紙２１，２１ａが巻かれたロール２０，２０ａを支持するロール支持部１９，１９ａと、印刷部１０および搬送機構Ｍ１を制御する印刷制御部１２と、印刷制御部１２や搬送機構Ｍ１に電気を供給する電源部１３と、を含み構成されている。なお、電源部１３は、読取制御部４２や読取搬送機構Ｍ２にも電気を供給している。
【００２３】
搬送機構Ｍ１は、２つのロール紙２１，２１ａを搬送し、複数のガイド板２２，２２ａ，２２ｂ、複数の駆動ローラー２３，２３ａ、駆動ローラー２４、従動ローラー２５、第２の搬送ローラーとしての駆動ローラー２６、複数の駆動ローラー２７、およびガイド板２８などから構成されている。
【００２４】
２つのロール紙２１，２１ａで上段に位置するロール紙２１は、ガイド板２２と複数の駆動ローラー２３によって、印刷部１０に搬送され、下段に位置するロール紙２１ａは、ガイド板２２ａ，２２ｂと複数の駆動ローラー２３ａによって、印刷部１０に搬送される。
また、駆動ローラー２３，２３ａ、駆動ローラー２４、従動ローラー２５、および駆動ローラー２６は、印刷部１０にロール紙２１，２１ａを給紙する給紙用ローラーとして動作し、複数の駆動ローラー２７は、印刷部１０からロール紙２１，２１ａを排紙する排紙用ローラーとして動作している。従って、印刷部１０は、給紙用ローラーと排紙用ローラーとの間に配置している。
【００２５】
また、上述した駆動ローラー４６、給紙口７、排紙口８、および読取部４０は、印刷部１０の印刷位置における搬送方向において、印刷部１０の下流方向に配置されている。そのため、印刷部１０の上方に読取装置３を構成する構成部材が配置されていないので、印刷部１０の上方に後述するカバー３２を設けることができ、カバー３２を開閉することで、印刷部１０のメンテナンスを行う際にユーザーの利便性を高めることができる。
【００２６】
給紙口５から給紙されたロール紙２１，２１ａは、駆動ローラー２６により、印刷部１０へ搬送される。その後、印刷部１０の印刷位置に設けられている液体吐出ヘッド１１により、ロール紙２１，２１ａに文字や写真が印刷される。印刷後のロール紙２１，２１ａは、カッター１４により切断され、駆動ローラー２７およびガイド板２８により、排紙口６へ搬送される。従って、給紙口５から給紙されたロール紙２１，２１ａを、経路となる搬送経路Ｈ１に沿って、搬送することができる。
【００２７】
また、印刷部１０の印刷位置における搬送方向は、矢印Ａ１で示す方向、つまり、給紙口５から排紙口６に向う方向となる。２つのロール紙２１，２１ａがそれぞれ巻かれたロール２０，２０ａを支持する２つのロール支持部１９，１９ａは、搬送方向において、印刷部１０の下流方向で、かつ、読取装置３の読取部４０の鉛直下方に配置されており、ロール支持部１９がロール支持部１９ａより上方に、ロール支持部１９ａがロール支持部１９より下方に、配置されている。そのため、印刷装置２の搬送方向となる前後方向の寸法を短くすることができ、印刷装置２を備えた複合機１の小型化を図ることができる。
【００２８】
また、印刷制御部１２は、搬送方向において、ロール支持部１９，１９ａの上流方向で、かつ、印刷部１０の鉛直下方に配置されている。そのため、ロール紙２１，２１ａの印刷部１０への搬送経路Ｈ１を構成する空間を確保し、印刷装置２を備えた複合機１の小型化を図ることができる。
【００２９】
また、印刷装置２の上面２ａには、読取搬送方向において、読取装置３の読取部４０の上流方向で、かつ、印刷部１０の鉛直上方に、読取搬送方向の上流端を回動軸３１として、印刷部１０のメンテナンス用のカバー３２が設けられている。そのため、図４に示すように、矢印Ｂ４の方向にカバー３２を開くことで、印刷部１０のメンテナンスを容易に行うことができる。
【００３０】
また、搬送方向において、印刷部１０の下流方向に、鉛直下方端を回動軸２９として、矢印Ｂ１の方向に回動可能な印刷排紙用カバー３０が設けられている。そのため、印刷排紙用カバー３０を開けておくことにより、印刷排紙用カバー３０上に印刷後のロール紙２１，２１ａを置いておくことができ、印刷終了後のロール紙２１，２１ａの回収が容易となる。また、印刷作業を行わない場合には、印刷排紙用カバー３０を閉めておくことにより、ほこりやごみの侵入を防ぎ、かつ、印刷装置２の前面をフラットにできるので印刷装置２を備えた複合機１の小型化が図れる。
【００３１】
また、ロール支持部１９の下方のロール支持部１９ａを含むロール２０ａ、ロール紙２１ａ、ガイド板２２ａ、および駆動ローラー２３ａは、印刷部１０における搬送方向に沿って移動可能な引出部１５に配置されている。つまり、引出部１５は、ロール支持部１９ａが読取部４０の鉛直下方に位置する閉位置と、図５に示すように、ロール支持部１９ａが搬送方向において、読取部４０の下流方向に位置する開位置と、の間を移動させることができる。そのため、引出部１５を矢印Ｃ１の方向へ移動し、開位置まで移動させることで、ロール支持部１９ａに支持されるロール紙２１ａが巻かれたロール２０ａの脱着を容易に行うことができる。
【００３２】
なお、本実施形態では、２つのロール支持部１９，１９ａを備えた複合機１を一例として挙げ、説明したが、これに限定する必要はなく、１つのロール支持部であっても構わない。
また、本実施形態では、第１の媒体として用紙９を、第２の媒体としてロール紙２１，２１ａを一例として挙げ、説明したが、これに限定する必要はなく、第１の媒体と第２の媒体とが同じ媒体であっても構わない。
【００３３】
以下に、上述した実施形態から導き出される内容を記載する。
【００３４】
複合機は、給紙口および排紙口を有する経路に設けられ、第１の媒体を搬送する第１の搬送ローラーと、前記第１の搬送ローラーが設けられた前記経路とは異なる経路に設けられ、第２の媒体を搬送する第２の搬送ローラーと、前記第１の搬送ローラーによって搬送される前記第１の媒体の表面を読み取る読取部と、前記第２の搬送ローラーによって搬送される前記第２の媒体に印刷をする印刷部と、前記第１の搬送ローラーおよび前記読取部を制御する読取制御部と、前記第２の搬送ローラーおよび前記印刷部を制御する印刷制御部と、を備え、前記第１の搬送ローラー、前記給紙口、前記排紙口、および前記読取部は、前記印刷部による印刷位置における搬送方向において、前記印刷部の下流方向に配置されている。
【００３５】
この複合機によれば、第１の搬送ローラー、給紙口、排紙口、および読取部が印刷部による印刷位置における搬送方向において、印刷部の下流方向に配置されている、つまり、印刷部の上方に読取機能に関連する構成部材が配置されていない。そのため、印刷部のメンテナンスを行う際にユーザーの利便性を高めることができる。
【００３６】
上述の複合機において、前記印刷部に供給される前記第２の媒体が巻かれたロールを支持するロール支持部を備え、前記ロール支持部は、前記搬送方向において、前記印刷部の下流方向かつ前記読取部の鉛直下方に配置されていることとしても良い。
【００３７】
この複合機によれば、第２の媒体が巻かれたロールを支持するロール支持部が搬送方向において、印刷部の下流方向かつ読取部の鉛直下方に配置されているため、複合機の搬送方向又は印刷部と読取部とが並ぶ方向の寸法を短くすることができ、複合機の小型化を図ることができる。
【００３８】
上述の複合機において、前記印刷制御部は、前記搬送方向において、前記ロール支持部の上流方向かつ前記印刷部の鉛直下方に配置されていることとしても良い。
【００３９】
この複合機によれば、印刷制御部が搬送方向において、ロール支持部の上流方向かつ印刷部の鉛直下方に配置されているため、第２の媒体の印刷部への搬送経路を構成する空間を確保し、複合機の小型化を図ることができる。
【００４０】
上述の複合機において、前記ロール支持部を前記搬送方向に沿って移動可能に構成する引出部を備え、前記引出部は、前記ロール支持部が前記読取部の鉛直下方に位置する閉位置と、前記ロール支持部が前記搬送方向において、前記読取部の下流方向に位置する開位置と、の間で移動可能であることとしても良い。
【００４１】
この複合機によれば、ロール支持部を搬送方向に沿って移動可能な引出部を備えているため、引出部を開位置に移動することで、ロール支持部に支持されるロールの脱着を容易に行うことができる。
【００４２】
上述の複合機において、前記読取制御部は、前記読取部による読取位置における読取搬送方向において、前記給紙口と前記排紙口との間に配置されていることとしても良い。
【００４３】
この複合機によれば、読取制御部が給紙口と排紙口との間に配置されているため、第１の媒体の読取部への搬送経路を確保したまま、複合機の小型化を図ることができる。
【００４４】
上述の複合機において、前記読取搬送方向において、前記読取部の上流方向かつ前記印刷部による前記印刷位置の鉛直上方に、カバーを備え、前記カバーは、前記読取搬送方向の上流端を回動軸として回動可能であることとしても良い。
【００４５】
この複合機によれば、印刷部による印刷位置の鉛直上方にカバーが備えられているので、カバーを開閉することで、印刷部のメンテナンスを容易に行うことができる。
【符号の説明】
【００４６】
１…複合機、２…印刷装置、２ａ…上面、３…読取装置、３ａ…前面、４…操作部、５…給紙口、６…排紙口、７…給紙口、８…排紙口、９…第１の媒体としての用紙、１０…印刷部、１１…液体吐出ヘッド、１２…印刷制御部、１３…電源部、１４、カッター、１５…引出部、１９，１９ａ…ロール支持部、２０，２０ａ…ロール、２１，２１ａ…第２の媒体としてのロール紙、２２，２２ａ，２２ｂ…ガイド板、２３，２３ａ…駆動ローラー、２４…駆動ローラー、２５…従動ローラー、２６…第２の搬送ローラーとしての駆動ローラー、２７…駆動ローラー、２８…ガイド板、２９…回転軸、３０…印刷排紙用カバー、３１…回転軸、３２…カバー、４０…読取部、４１…コンタクトイメージセンサーモジュール、４２…読取制御部、４３…ガイド板、４４…駆動ローラー、４５…従動ローラー、４６…第１の搬送ローラーとしての駆動ローラー、４７…従動ローラー、４８…ガイド板、４９…回転軸、５０…読取排紙用カバー、５１…回転軸、５２…読取給紙用カバー、Ａ１，Ａ２，Ｂ１，Ｂ２，Ｂ３，Ｂ４，Ｃ１…矢印、Ｈ１…搬送経路、Ｈ２…読取搬送経路、Ｍ１…搬送機構、Ｍ２…読取搬送機構。
【図１】
2020155920.tif 000003
【図２】
2020155920.tif 000004
【図３】
2020155920.tif 000005
【図４】
2020155920.tif 000006
【図５】
2020155920.tif 000007